(57)【特許請求の範囲】
【請求項１】
中空のシリンジ、内スリーブ、真空採血カップを具え、
該中空のシリンジの上端に中空のスリーブが偏心設置され、該シリンジの側辺に一つの案内溝が設けられ、
該内スリーブは該シリンジ内に設置され、該内スリーブの上端の偏心部分に凸座が設けられ、該内スリーブの下端が開口とされ、該凸座が該スリーブ内に嵌合位置決めされ、且つ該スリーブより外部に突出し、並びにニードルヘッドが該凸座に套設され、該凸座の中央を案内孔が貫通し、Ｚ形態を呈するＺ形ニードルが該案内孔内に位置決めされ、該Ｚ形ニードルの下針先が該内スリーブの内部の中央軸線部分にあり、該内スリーブの外側壁に押し板が連接され、該押し板が該案内溝に位置決めされ、
該真空採血カップは該シリンジ内に設置され、該真空採血カップの上方開口部分に弾性を有するプラグが嵌め込まれ、
たことを特徴とする、人体工学に符合する安全真空採血用注射器。
【請求項２】
前記Ｚ形ニードルの下針先がしっかりと内スリーブの中央部分に位置決めされるように、該内スリーブの内部中央に一つの固定座が設けられて、該Ｚ形ニードルが該固定座に固定されたことを特徴とする、請求項１に記載の人体工学に符合する安全真空採血用注射器。
【請求項３】
前記シリンジの内壁の適当な部分に環状に一つの位置決め凸環が設けられて、内スリーブがシリンジ上端部分に位置決め可能で、下向きに偏って滑動しないことを特徴とする、請求項１に記載の人体工学に符合する安全真空採血用注射器。
【請求項４】
前記内スリーブの周縁に複数の開溝が設けられ、内スリーブの下縁部分が適当な弾性を保持することを特徴とする、請求項１に記載の人体工学に符合する安全真空採血用注射器。
【請求項５】
前記凸座に環状に凸環が設けられ、この凸環がスリーブの内表面に環状に設けられた内凹環状溝に組み合わされることにより、凸座が確実にスリーブ内に位置決めされたことを特徴とする、請求項１に記載の人体工学に符合する安全真空採血用注射器。
【請求項６】
前記案内溝の適当な部分に位置決め溝口が設けられ、該位置決め溝口の幅が該案内溝の幅より大きいことを特徴とする、請求項１に記載の人体工学に符合する安全真空採血用注射器。
【請求項７】
前記位置決め溝口の下方の案内溝に別に複数の凸点が設けられたことを特徴とする、請求項６に記載の人体工学に符合する安全真空採血用注射器。
【請求項８】
前記内スリーブの凸座の案内孔に、生産時に予めニードルが設けられて、ニードルヘッドが省略されたことを特徴とする、請求項１に記載の人体工学に符合する安全真空採血用注射器。
【請求項９】
中空のシリンジ、真空採血カップを具え、
該中空のシリンジの前端部分の一側に縦向きに一つの位置決め滑り溝が設けられ、該位置決め滑り溝と反対の側に縦向きに一つの滑り溝が設けられ、該位置決め滑り溝と滑り溝内にそれぞれニードルシートと押圧板が設けられ、このニードルシートの上表面に一つの凸座が設けられ、該凸座に貫通する一つの案内孔が設けられ、該案内孔にＺ形態を呈するＺ形ニードルが位置決めされ、且つ該Ｚ形ニードルの下針先がシリンジ内部中央軸線部分に位置し、ニードルヘッドが該凸座に套設され、該押圧板が一つの端面と一つのガイドロッドを具え、該ガイドロッドの側辺に三角形状を呈する凸辺が設けられ、該凸辺に対応する位置の滑り溝側辺に該凸辺に対応し組み合わせられる三角形の溝口が設けられて該押圧板のスライドに供され、
該真空採血カップは、該シリンジの内部に設置され、該真空採血カップの上方の開口に弾性を有するプラグが嵌め込まれたことを特徴とする、人体工学に符合する安全真空採血用注射器。
【請求項１０】
前記ニードルシートの周縁に一つの位置決め凸条が設けられ、且つ該ニードルシートの凸面両側辺縁にそれぞれ一つの凸条が設けられ、該凸条に対応する位置の位置決め滑り溝の両側辺にそれぞれ一つの案内溝が設けられ、凸条が該案内溝に位置決めされてニードルシートの位置決め滑り溝からの脱落が防止されたことを特徴とする、請求項９に記載の人体工学に符合する安全真空採血用注射器。
【請求項１１】
前記ニードルシートの下方に一つの固定座が設けられて該固定座にＺ形ニードルが固定されることを特徴とする、請求項９に記載の人体工学に符合する安全真空採血用注射器。
【請求項１２】
前記ガイドロッドの末端に三角形を呈するフックが設けられ、押圧板が滑り溝内に位置決めされた後に、該フックが該滑り溝と位置決め滑り溝の連接部分を係止することを特徴とする、請求項９に記載の人体工学に符合する安全真空採血用注射器。
【請求項１３】
前記端面の下方両側辺縁それぞれに円弧形弾性片が連接されて適当な弾力を提供することを特徴とする、請求項９に記載の人体工学に符合する安全真空採血用注射器。
【請求項１４】
前記位置決め滑り溝の両側に適当な傾斜が設けられて、前端開口部分が末端部分より大きくされたことを特徴とする、請求項９に記載の人体工学に符合する安全真空採血用注射器。
【請求項１５】
前記凸座の案内孔に生産時に予めニードルが設けられて、ニードルヘッドが省略されたことを特徴とする、請求項９に記載の人体工学に符合する安全真空採血用注射器。
【発明の詳細な説明】
【０００１】
【発明の属する技術分野】
本発明は一種の安全真空採血用注射器に係り、特に、使用上、人体工学の概念に符合し、且つ周知のニードルヘッド及び真空採血カップを使用でき、生産コストを節約できる、人体工学に符合する安全真空採血用注射器に関する。
【０００２】
【従来の技術】
一般に病院では、患者に対して血液分析検査を行うことにより、患者の感染した病原菌或いは疾病がなんであるかを検査したり、或いは人体の生理機能が正常であるか否かを検査し、これは普遍的及び頻繁な作業である。患者に対して採血を行う時は、医療関係者が病原菌に感染してその生命が危険にさらされるのを防止するため、採血工具の選択がことのほか重要となる。このため、安全に採血の作業を行い、且つ医療関係者の操作に便利とするために、採血工具の構造には改良が必要である。
【０００３】
現在、周知の採血用注射器の構造には、例えば米国特許第５４２３７５８号があり、その採血ニードルヘッドは、シリンジ前端の中央軸部分に位置し、採血進行時に、ニードルを人体静脈血管中に挿入し、静脈血管内の血液を採取する。しかしこの構造は、ニードルヘッドがシリンジの中央位置にあるため、操作時に、シリンジと人体表面間の採血角度が大きく、ニードルを静脈血管内に挿入して採血を行いにくく、特に、血管が比較的細い患者に対しては、血管を突き破ってしまい、順調に採血することができないことがよくある。
【０００４】
【発明が解決しようとする課題】
本発明の主要な目的は、一種の、人体工学に符合する安全真空採血用注射器を提供することにあり、それは、ニードルヘッドが偏心方式で設置され、これにより採血作業時の採血角度を低くし、容易に採血できる目的を達成できるものとする。
【０００５】
本発明の次の目的は、一種の、人体工学に符合する安全真空採血用注射器を提供することにあり、それは、ニードルヘッドの下針先がＺ形態を呈し、下針先がシリンジ内部中央部分に位置し、周知の真空採血カップの使用に適合するものとする。
【０００６】
本発明のさらに一つの目的は、一種の、人体工学に符合する安全真空採血用注射器を提供することにあり、それは、使用者の必要により一般に周知の適当なニードルヘッドに交換できるものとする。
【０００７】
【課題を解決するための手段】
請求項１の発明は、中空のシリンジ、内スリーブ、真空採血カップを具え、
該中空のシリンジの上端に中空のスリーブが偏心設置され、該シリンジの側辺に一つの案内溝が設けられ、
該内スリーブは該シリンジ内に設置され、該内スリーブの上端の偏心部分に凸座が設けられ、該内スリーブの下端が開口とされ、該凸座が該スリーブ内に嵌合位置決めされ、且つ該スリーブより外部に突出し、並びにニードルヘッドが該凸座に套設され、該凸座の中央を案内孔が貫通し、Ｚ形態を呈するＺ形ニードルが該案内孔内に位置決めされ、該Ｚ形ニードルの下針先が該内スリーブの内部の中央軸線部分にあり、該内スリーブの外側壁に押し板が連接され、該押し板が該案内溝に位置決めされ、
該真空採血カップは該シリンジ内に設置され、該真空採血カップの上方開口部分に弾性を有するプラグが嵌め込まれ、
たことを特徴とする、人体工学に符合する安全真空採血用注射器としている。
請求項２の発明は、前記Ｚ形ニードルの下針先がしっかりと内スリーブの中央部分に位置決めされるように、該内スリーブの内部中央に一つの固定座が設けられて、該Ｚ形ニードルが該固定座に固定されたことを特徴とする、請求項１に記載の人体工学に符合する安全真空採血用注射器としている。
請求項３の発明は、前記シリンジの内壁の適当な部分に環状に一つの位置決め凸環が設けられて、内スリーブがシリンジ上端部分に位置決め可能で、下向きに偏って滑動しないことを特徴とする、請求項１に記載の人体工学に符合する安全真空採血用注射器としている。
請求項４の発明は、前記内スリーブの周縁に複数の開溝が設けられ、内スリーブの下縁部分が適当な弾性を保持することを特徴とする、請求項１に記載の人体工学に符合する安全真空採血用注射器としている。
請求項５の発明は、前記凸座に環状に凸環が設けられ、この凸環がスリーブの内表面に環状に設けられた内凹環状溝に組み合わされることにより、凸座が確実にスリーブ内に位置決めされたことを特徴とする、請求項１に記載の人体工学に符合する安全真空採血用注射器としている。
請求項６の発明は、前記案内溝の適当な部分に位置決め溝口が設けられ、該位置決め溝口の幅が該案内溝の幅より大きいことを特徴とする、請求項１に記載の人体工学に符合する安全真空採血用注射器としている。
請求項７の発明は、前記位置決め溝口の下方の案内溝に別に複数の凸点が設けられたことを特徴とする、請求項６に記載の人体工学に符合する安全真空採血用注射器としている。
請求項８の発明は、前記内スリーブの凸座の案内孔に、生産時に予めニードルが設けられて、ニードルヘッドが省略されたことを特徴とする、請求項１に記載の人体工学に符合する安全真空採血用注射器としている。
請求項９の発明は、中空のシリンジ、真空採血カップを具え、
該中空のシリンジの前端部分の一側に縦向きに一つの位置決め滑り溝が設けられ、該位置決め滑り溝と反対の側に縦向きに一つの滑り溝が設けられ、該位置決め滑り溝と滑り溝内にそれぞれニードルシートと押圧板が設けられ、このニードルシートの上表面に一つの凸座が設けられ、該凸座に貫通する一つの案内孔が設けられ、該案内孔にＺ形態を呈するＺ形ニードルが位置決めされ、且つ該Ｚ形ニードルの下針先がシリンジ内部中央軸線部分に位置し、ニードルヘッドが該凸座に套設され、該押圧板が一つの端面と一つのガイドロッドを具え、該ガイドロッドの側辺に三角形状を呈する凸辺が設けられ、該凸辺に対応する位置の滑り溝側辺に該凸辺に対応し組み合わせられる三角形の溝口が設けられて該押圧板のスライドに供され、
該真空採血カップは、該シリンジの内部に設置され、該真空採血カップの上方の開口に弾性を有するプラグが嵌め込まれたことを特徴とする、人体工学に符合する安全真空採血用注射器としている。
請求項１０の発明は、前記ニードルシートの周縁に一つの位置決め凸条が設けられ、且つ該ニードルシートの凸面両側辺縁にそれぞれ一つの凸条が設けられ、該凸条に対応する位置の位置決め滑り溝の両側辺にそれぞれ一つの案内溝が設けられ、凸条が該案内溝に位置決めされてニードルシートの位置決め滑り溝からの脱落が防止されたことを特徴とする、請求項９に記載の人体工学に符合する安全真空採血用注射器としている。
請求項１１の発明は、前記ニードルシートの下方に一つの固定座が設けられて該固定座にＺ形ニードルが固定されることを特徴とする、請求項９に記載の人体工学に符合する安全真空採血用注射器としている。
請求項１２の発明は、前記ガイドロッドの末端に三角形を呈するフックが設けられ、押圧板が滑り溝内に位置決めされた後に、該フックが該滑り溝と位置決め滑り溝の連接部分を係止することを特徴とする、請求項９に記載の人体工学に符合する安全真空採血用注射器としている。
請求項１３の発明は、前記端面の下方両側辺縁それぞれに円弧形弾性片が連接されて適当な弾力を提供することを特徴とする、請求項９に記載の人体工学に符合する安全真空採血用注射器としている。
請求項１４の発明は、前記位置決め滑り溝の両側に適当な傾斜が設けられて、前端開口部分が末端部分より大きくされたことを特徴とする、請求項９に記載の人体工学に符合する安全真空採血用注射器としている。
請求項１５の発明は、前記凸座の案内孔に生産時に予めニードルが設けられて、ニードルヘッドが省略されたことを特徴とする、請求項９に記載の人体工学に符合する安全真空採血用注射器としている。
【０００８】
【発明の実施の形態】
図１から図３に示されるように、本発明は中空のシリンジ１０を具え、該シリンジ１０の上端には偏心設置された中空のスリーブ１２が設けられ、別に該シリンジ１０の側辺に一つの案内溝１４が設けられ、該シリンジ１０内に内スリーブ２０が設けられ、該内スリーブ２０の上端の偏心部分に一つの凸座２２が設けられ、該内スリーブ２０の下端は開口２４とされている。該凸座２２が該スリーブ１２内に嵌合され、且つ該スリーブ１２の外側に突出し、並びに、一つのニードルヘッド３０が該凸座２２に套設される。且つ該凸座２２の中央を貫通して一つの案内孔２２２が設けられ、一つの、Ｚ形態のＺ形ニードル２６が該案内孔２２２内に位置決めされ、該Ｚ形ニードル２６の下針先２６２が該内スリーブ２０内部の中央軸線部分に位置する。また、該下針先２６２がしっかりと該内スリーブ２０の中央部分に位置決めされるため、該内スリーブ２０の内部中央に一つの固定座２８が設けられて、Ｚ形ニードル２６がそれに固定される。図５に示されるように、該内スリーブ２０の外側壁に一つの押し板２１が連接され、それが該案内溝１４に位置決めされ、これにより該内スリーブ２０を駆動して該シリンジ１０内を軸方向に移動させる。また、該シリンジ１０の内壁の適当な部分に環状に位置決め凸環１６が設けられて、該内スリーブ２０を該シリンジ１０の上端部分に位置決めして偏って移動しないようにしている。このほか、該凸座２２に環状に少なくとも一つの凸環２２４が設けられ、並びに該スリーブ１２の内表面部分に環状に少なくとも一つの内凹環状溝１２４が設けられ、該凸座２２が確実に該スリーブ１２内に位置決めされる。また、該内スリーブ２０の周縁に別に複数の開溝２３が設けられ、内スリーブ２０の下縁部分が適当な弾性を保持する。該シリンジ１０の内部に別に一つの真空採血カップ４０が設けられ、該真空採血カップ４０の上方開口部分に弾性を有するプラグ４２が嵌めこまれている。該真空採血カップ４０は市販されている周知の真空採血カップとされる。
【０００９】
図６に示されるように、本発明による採血動作時には、まずニードルヘッド３０を患者の静脈血管内部に挿入し、その後、真空採血カップ４０をシリンジ１０内部の針体２６に向けて押動させ、これにより下針先２６２が真空採血カップ４０のプラグ４２を突き破り、即ち、血液が患者の血管内より、ニードルヘッド３０、案内孔２２２、及びＺ形ニードル２６を通り、内部が真空を呈する真空採血カップ４０内に導入され、採血の目的が達成される。本発明のニードルヘッド３０、凸座２２及びスリーブ１２はいずれも偏心で且つシリンジ１０の辺縁近くに設けられ、ゆえに医療関係者が使用する時、ニードルヘッド３０と皮膚間の比較的小さい傾斜の夾角を以て、ニードルヘッド３０を血管に挿入でき、人体工学に符合するだけでなく、血管を突き破る危険がなく、且つ血液の採取に有益である。さらに、図７に示されるように、採血完成後に、該押し板２１を後方に押して引くことにより、内スリーブ２０を後退させて、医療関係者がニードルヘッドにより怪我をする危険を防止できる。また該案内溝１４の適当な部分に一つの位置決め溝口１４２が設けられ、該位置決め溝口１４２の幅が該案内溝１４の幅より大きく、これにより該押し板２１が移動して該位置決め溝口１４２に至ると、制限を受けてそれ以上後方に移動不能とされ、Ｚ形ニードル２６下方の下針先２６２がシリンジ１０外に露出することによる危険を防止でき、該位置決め溝口１４２の下方に位置する案内溝１４に別に複数の凸点１４４が設けられ、押し板２１が後ろ向きに位置決め溝口１４２外に脱落して該下針先２６２がシリンジ１０外に脱出するのを防止する。これは図４及び図５に示されるとおりである。
【００１０】
図９に示されるように、本発明の内スリーブ２０の凸座２２には生産時に予め、案内孔２２２の上にニードル２５を設置可能であり、これにより別にニードルヘッドを套設する必要をなくし、使用時間と生産コストを節約することができる。
【００１１】
図１０から図１３に示されるのは、本発明のもう一つの実施例図である。図示されるように、この実施例では、中空のシリンジ５０が設けられ、該シリンジ５０の前端部分の一側に縦向きに一つの位置決め滑り溝５２が設けられ、該位置決め滑り溝５２と反対の側に縦向きに一つの滑り溝５４が設けられ、別に、該位置決め滑り溝５２と滑り溝５４内にニードルシート６０と押圧板７０が設けられている。このニードルシート６０の上表面に一つの凸座６２が設けられ、該凸座６２に一つのニードルヘッド３０が套設され、並びに該凸座６２に貫通する一つの案内孔６２２が設けられ、その上にＺ形態を呈するＺ形ニードル６４が該案内孔６２２内に位置決めされ、且つ該Ｚ形ニードル６４の下針先６４２がシリンジ５０内部中央軸線部分に位置し、該下針先６４２がしっかりとシリンジ５０内部中央部分に位置決めされるように、該ニードルシート６０の下方に一つの固定座６６が設けられてＺ形ニードル６４がその上に嵌止めされ、また該ニードルシート６０がしっかりと該位置決め滑り溝５２内に位置決めされるように、該ニードルシート６０の周縁に位置決め凸条６１が設けられ、且つ該ニードルシート６０の凸面６３の両側辺縁にそれぞれ一つの凸条６３２が設けられ、該凸条６３２に対応する位置の位置決め滑り溝５２の両側辺にそれぞれ一つの案内溝５２２が設けられ、凸条６３２がそれに位置決めされ、該ニードルシート６０の位置決め滑り溝５２からの脱落が防止される。さらに、該ニードルシート６０を該位置決め滑り溝５２内に容易に組み付けられるように、該位置決め滑り溝５２の両側が適当な傾斜を有し、これにより前端開口部分が末端部分より大きくされ、これによりニードルシート６０が容易に該位置決め滑り溝５２内に進入できる。該押圧板７０は一つの端面７２と一つのガイドロッド７４を具え、該ガイドロッド７４の側辺に三角形状を呈する凸辺７４２が設けられ、該凸辺７４２に対応する位置の滑り溝５４の側辺に三角形を呈する溝口５４２が設けられ、該押圧板７０の移動を案内し、該ガイドロッド７４の末端に三角形を呈するフック７４４が設けられ、該押圧板７０が該滑り溝５４内に位置決めされた後に、該フック７４４が該滑り溝５４と位置決め滑り溝５２の連接部分を係止し、これにより押圧板７０が後ろ向きに滑り溝５４内より脱落するのを防止している。該端面７２の下方両側辺縁それぞれに円弧形弾性片７２２が連接されて適当な弾力を提供する。該シリンジ５０内部に別に一つの真空採血カップ４０が設けられ、該真空採血カップ４０の上方開口部分に弾性を有するプラグ４２が嵌めこまれ、該真空採血カップ４０は市販されている周知の真空採血カップとされる。
【００１２】
図１４に示されるように、本発明を実施する時は、ニードルヘッド３０を患者の静脈血管内部に挿入し、さらに真空採血カップ４０をシリンジ５０内部のＺ形ニードル６４に向けて押動し、該下針先６４２で真空採血カップ４０のプラグ４２を突き破れば、血液を患者の血管内よりニードルヘッド３０、案内孔６２２、及びＺ形ニードル６４を通して内部が真空の真空採血カップ４０内に導入でき、採血の目的を達成できる。図１５に示されるように、採血完成後には、該押圧板７０を押圧して、該ニードルシート６０を簡単に位置決め滑り溝５２内より押して離脱させることができ、並びにニードルヘッド収集容器中に収集し、次の採血動作前に、ニードルシート６０及びニードルヘッド３０を交換し、これにより病原菌の伝染を防止する。
【００１３】
図１６に示されるように、本発明の長所は、該凸座２２、６２が使用者の必要に応じて適当な太さのニードルヘッド３０に交換でき、且つニードルヘッド３０に一般に周知のニードルヘッドを使用でき、別に金型を新たに製作して特殊形式のニードルヘッドを形成する必要がなく、生産コストを節約できることにある。さらに、ニードルヘッド３０が偏心設置され、周知一般の真空採血カップとプラグを使用できる。本発明のＺ形ニードル２６、６４はＺ形態を呈して設置され、これによりＺ形ニードル２６、６４の下針先２６２、６４２がシリンジ１０、５０内部の中心部分に位置し、一般に周知のいずれの真空採血カップに対しても、下針先２６２、６４２がプラグ４２中心に挿入され、別に特殊な真空採血カップを設置する必要がなく、偏心設置の針体構造に適用され、ゆえに本発明は生産コストを減らす高い効果を有している。
【００１４】
【発明の効果】
本発明の人体工学に符合する安全真空採血用注射器は、上端に偏心設置された中空スリーブを具え、側辺に案内溝が設けられた中空シリンジと、内スリーブとされ、該シリンジ内に置かれ、上端の偏心部分に凸座が設けられ、下端に開口があり、該凸座が該スリーブ内に嵌合位置決めされ、且つ該スリーブより外に突出し、並びにニードルヘッドが該凸座に套設され、該凸座の中央を案内孔が貫通し、Ｚ形態を呈するＺ形ニードルが該案内孔内に位置決め可能とされ、該Ｚ形ニードルの下針先が該内スリーブ内部の中央軸線部分にあり、該内スリーブの外側壁に押し板が連接され、該押し板が該案内溝に位置決めされた上記内スリーブと、上方開口部分に弾性を有するプラグが嵌め込まれた真空採血カップと、を具え、ニードルヘッドが偏心方式で設置されたことにより、人体工学に符合し、採血作業時の採血角度を低くすることができ、採血作業に有利で、ニードルヘッド部及び真空採血カップに周知の製品を援用でき、新たに金型製作する必要がなく、生産コストを節約できる。
【００１５】
総合すると、本発明は新規性、進歩性、及び産業上の利用価値を有し、特許の要件に符合する。なお、以上の説明は本発明の一部の実施例の説明にすぎず、本発明の実施の範囲を限定するものではなく、本発明に基づきなしうる細部の修飾或いは改変は、いずれも本発明の請求範囲に属するものとする。
【図面の簡単な説明】
【図１】本発明の分解断面図である。
【図２】本発明の組合せ断面図である。
【図３】本発明のシリンジのもう一つの側面図である。
【図４】本発明のシリンジの側面断面図である。
【図５】図４のＡ−Ａ断面図である。
【図６】本発明の内スリーブの分解斜視図である。
【図７】本発明の採血動作表示図である。
【図８】本発明の内スリーブ後退時の動作表示図である。
【図９】本発明の直接凸座にニードルを設置した表示図である。
【図１０】本発明の別の実施例の分解断面図である。
【図１１】本発明の別の実施例の組合せ断面図である。
【図１２】本発明の別の実施例の部分立体図である。
【図１３】本発明の別の実施例の部分立体組合せ図である。
【図１４】本発明の別の実施例の採血動作表示図である。
【図１５】本発明の別の実施例のニードルシート離脱の動作表示図である。
【図１６】本発明のさらにもう一つの実施例の組合せ断面図である。
【符号の説明】
１０  シリンジ          １２  スリーブ
１２４  内凹環状溝      １４  案内溝
１４２  位置決め溝口    １４４  凸点
１６  位置決め凸環      ２０  内スリーブ
２１  押し板            ２２  凸座
２２２  案内孔          ２２４  凸環
２３  開溝              ２４  開口
２５  ニードル          ２６  Ｚ形ニードル
２６２  下針先          ２８  固定座
３０  ニードルヘッド    ４０  真空採血カップ
４２  プラグ            ５０  シリンジ
５２  位置決め滑り溝    ５２２  案内溝
５４  滑り溝            ５４２  溝口
６０  ニードルシート    ６１  位置決め凸条
６２  凸座              ６２２  案内孔
６３  凸面              ６３２  凸条
６４  Ｚ形ニードル      ６４２  下針先
６６  固定座            ７０  押圧板
７２  端面              ７２２  弾性片
７４  ガイドロッド      ７４２  凸辺
７４４  フック
【図１】
0003623755.tif 000002
【図２】
0003623755.tif 000003
【図３】
0003623755.tif 000004
【図４】
0003623755.tif 000005
【図５】
0003623755.tif 000006
【図６】
0003623755.tif 000007
【図７】
0003623755.tif 000008
【図８】
0003623755.tif 000009
【図９】
0003623755.tif 000010
【図１０】
0003623755.tif 000011
【図１１】
0003623755.tif 000012
【図１２】
0003623755.tif 000013
【図１３】
0003623755.tif 000014
【図１４】
0003623755.tif 000015
【図１５】
0003623755.tif 000016
【図１６】
0003623755.tif 000017